(57)【要約】ポート５ユーザ機器特有基準信号（ＵＲＳ）信号に配分されたリソース要素と重複せずに、チャネル状態情報基準信号（ＣＳＩ−ＲＳ）を伝送するために、直交周波数分割多重（ＯＦＤＭ）システムにおいて、リソース要素を配分する方法が開示される。方法は、周波数領域において、正常ＣＰサブフレーム内でＣＳＩ−ＲＳに配分されたリソース要素の少なくとも一部をシフトするステップを含むことができる。ある実施形態によると、リソース要素の配分は、その時間領域寸法が、１サブフレームであり、その周波数領域寸法が、１２サブキャリアである単一物理リソースブロック（ＰＲＢ）内において、８ポートＣＳＩ−ＲＳ毎に、または８ＣＳＩ−ＲＳリソース要素の群毎に規定することができる。
2013533674.tif 000002
【特許請求の範囲】
【請求項１】
ポート５ユーザ機器特有基準信号（ＵＲＳ）信号に配分されたリソース要素と重複せずに、チャネル状態情報基準信号（ＣＳＩ−ＲＳ）を伝送するために、直交周波数分割多重（ＯＦＤＭ）システムにおいて、リソース要素を配分する方法であって、
該方法は、
周波数領域において、正常ＣＰサブフレーム内で該ＣＳＩ−ＲＳに配分されたリソース要素の少なくとも一部をシフトすることと、
拡張ＣＰサブフレームの中に該ポート５ＵＲＳと重複するリソース要素を有することなく、少なくとも１つのＣＳＩ−ＲＳ再利用パターンが存在するように、拡張ＣＰサブフレームの中でリソース要素をパターン化することと
を備える、方法。
【請求項２】
前記リソース要素の配分は、単一の物理リソースブロック（ＰＲＢ）内において、８ポートＣＳＩ−ＲＳ毎に、または８ＣＳＩ−ＲＳリソース要素の群毎に規定され、該単一のＰＲＢの時間領域寸法が１サブフレームであり、該単一ＰＲＢの周波数領域寸法が、１２サブキャリアである、請求項１に記載の方法。
【請求項３】
前記正常ＣＰサブフレームに対して、各パターンにおけるＣＳＩ−ＲＳリソース要素インデックス順序付けは、時間領域順序付けおよび周波数領域順序付けのうちの少なくとも１つによって提供され、（ｋｉ，ｌｉ）によって表される、ｉ番目のＣＳＩ−ＲＳリソース要素のＰＲＢ内での場所は、０≦ｉ＜８の場合、ｌｉ＝ｌ’＋（ｉ  ｍｏｄ  ２）によって与えられ、０≦ｊ＜４の場合、
【化４４】
2013533674.tif 000050
によって与えられ、ここで、（ｋ’，ｌ’）は、各ＣＳＩ−ＲＳのセル毎のパターンにおける最大サブキャリアインデックスおよび最小シンボルインデックスを有するＣＳＩ−ＲＳリソース要素の場所であり、Δｊは、周波数領域において、リソース要素シフト化を行なうために使用される、請求項１に記載の方法。
【請求項４】
Δｊは、以下に示す
【化４５−１】
2013533674.tif 000051
【化４５−２】
2013533674.tif 000052
のうちの１つであり得る、請求項３に記載の方法。
【請求項５】
前記拡張ＣＰサブフレームに対して、セル毎の前記ＣＳＩ−ＲＳリソース要素は、前記ＰＲＢ内で複数の対のＣＳＩ−ＲＳリソース要素としてパターン化され、該複数の対のＣＳＩ−ＲＳリソース要素は、１つのＰＲＢ内の２つのＯＦＤＭシンボル上に最大サブキャリアインデックスを有する一対のＣＳＩ−ＲＳリソース要素から逆に数えて、３対のサブキャリア毎に、同一の２つのＯＤＦＭシンボル内に位置する、請求項１に記載の方法。
【請求項６】
複数の対のＣＳＩ−ＲＳリソース要素が配分される、前記同一の２つのＯＦＤＭシンボルは、１つのサブフレームのいずれかのスロットの中のシンボル４およびシンボル５である、請求項５に記載の方法。
【請求項７】
１つのＰＲＢ内の前記複数の対のＣＳＩ−ＲＳリソース要素の前記最大サブキャリアインデックスは、｛９，１０｝からの値である、請求項５に記載の方法。
【請求項８】
各パターンにおけるＣＳＩ−ＲＳリソース要素インデックス順序付けは、時間領域順序付けおよび周波数領域順序付けのうちの少なくとも１つによって提供され、（ｋｉ，ｌｉ）によって表される、ｉ番目のＣＳＩ−ＲＳ  ＲＥのＰＲＢ内での場所は、０≦ｉ＜８の場合、ｌｉ＝ｌ’＋（ｉ  ｍｏｄ  ２）で与えられ、０≦ｊ＜４の場合、ｋ２ｊ＝ｋ２ｊ＋ｌ＝ｋ’−３×ｊで与えられ、ここで、（ｋ’，ｌ’）は、各ＣＳＩ−ＲＳのセル毎のパターンにおける最大サブキャリアインデックスおよび最小シンボルインデックスを有するＣＳＩ−ＲＳリソース要素の場所である、請求項５に記載の方法。
【請求項９】
８ポートＣＳＩ−ＲＳリソース要素配分において、インデックス０〜３または４〜７を有する任意の４つのＣＳＩ−ＲＳリソース要素は、４ポートＣＳＩ−ＲＳ配分のために使用され、０〜３と４〜７との間での選択は、高層信号伝達によって信号伝達され、
【化４６】
2013533674.tif 000053
によって自動的に決定されるもののうちの少なくとも１つであり、
８ポートＣＳＩ−ＲＳリソース要素配分において、インデックス（２ｊ）および（２ｊ＋１）を有する任意の２つのＣＳＩ−ＲＳリソース要素は、２ポートＣＳＩ−ＲＳ配分のために使用され、４つのそのような対の間での選択は、高層信号伝達によって信号伝達され、
【化４７】
2013533674.tif 000054
によって自動的に決定されるもののうちの少なくとも１つであり、
【化４８】
2013533674.tif 000055
は、セル識別の関数であり、ここで、
【化４９】
2013533674.tif 000056
または
【化５０】
2013533674.tif 000057
であり、Ｒは、サブフレーム毎の再利用率である、請求項２に記載の方法。
【請求項１０】
隣接セルからの１つ以上のＣＳＩ−ＲＳリソース要素と重複する全リソース要素に対して、
ポート５ＵＲＳを搬送するために利用不可能である、前記シンボル上の重複リソース要素がミュート化され、該ミュート化は、サブフレーム毎に、シンボル｛５，８，１１｝に分類されるリソース要素上で行なわれ、
ポート５ＵＲＳを搬送するために利用可能である、該シンボル上のリソース要素が、隣接セルからのＣＳＩ−ＲＳリソース要素と重複する場合でも、ポート５ＵＲＳを搬送するために利用可能である、該シンボル上の該リソース要素は、ミュート化されない、請求項１に記載の方法。
【請求項１１】
ポート５ユーザ機器特有基準信号（ＵＲＳ）信号に配分されたリソース要素と重複せずに、チャネル状態情報基準信号（ＣＳＩ−ＲＳ）を伝送するために、直交周波数分割多重（ＯＦＤＭ）システムにおいて、リソース要素を配分するためのシステムであって、
該システムは、
周波数領域において、正常ＣＰサブフレーム内で該ＣＳＩ−ＲＳに配分されたリソース要素の少なくとも一部をシフトするように構成されるシフト化ユニットと、
拡張ＣＰサブフレームの中に該ポート５ＵＲＳと重複するリソース要素を有することなく、少なくとも１つのＣＳＩ−ＲＳ再利用パターンが存在するように、該拡張ＣＰサブフレームの中でリソース要素をパターン化するように構成されるパターン化ユニットと
を備える、システム。
【請求項１２】
前記リソース要素の配分は、単一の物理リソースブロック（ＰＲＢ）内において、８ポートＣＳＩ−ＲＳ毎に、または８ＣＳＩ−ＲＳリソース要素の群毎に規定され、該単一のＰＲＢの時間領域寸法は、１サブフレームであり、該単一のＰＲＢの周波数領域寸法は、１２サブキャリアである、請求項１１に記載のシステム。
【請求項１３】
前記正常ＣＰサブフレームに対して、各パターンにおけるＣＳＩ−ＲＳリソース要素インデックス順序付けは、時間領域順序付けおよび周波数領域順序付けのうちの少なくとも１つによって提供され、（ｋｉ，ｌｉ）によって表される、ｉ番目のＣＳＩ−ＲＳリソース要素のＰＲＢ内での場所は、０≦ｉ＜８の場合、ｌｉ＝ｌ’＋（ｉ  ｍｏｄ  ２）によって与えられ、０≦ｊ＜４の場合、
【化５１】
2013533674.tif 000058
によって与えられ、ここで、（ｋ’，ｌ’）は、各ＣＳＩ−ＲＳのセル毎のパターンにおける最大サブキャリアインデックスおよび最小シンボルインデックスを有するＣＳＩ−ＲＳリソース要素の場所であり、Δｊは、周波数領域において、リソース要素シフト化を行なうために使用される、請求項１１に記載のシステム。
【請求項１４】
Δｊは、以下に示す
【化５２】
2013533674.tif 000059
のうちの一つであり得る、請求項１３に記載のシステム。
【請求項１５】
前記拡張ＣＰサブフレームに対して、セル毎の前記ＣＳＩ−ＲＳリソース要素は、複数の対のＣＳＩ−ＲＳリソース要素として、前記ＰＲＢ内でパターン化され、該複数の対のＣＳＩ−ＲＳリソース要素は、１つのＰＲＢ内の２つのＯＦＤＭシンボル上で最大サブキャリアインデックスを有する一対のＣＳＩ−ＲＳリソース要素から逆に数えて、３対のサブキャリア毎に、同一の２つのＯＤＦＭシンボル内に位置する、請求項１１に記載のシステム。
【請求項１６】
複数の対のＣＳＩ−ＲＳリソース要素が配分される、前記同一の２つのＯＦＤＭシンボルは、１サブフレームのいずれかのスロットの中のシンボル４およびシンボル５である、請求項１５に記載のシステム。
【請求項１７】
１つのＰＲＢ内の前記一対のＣＳＩ−ＲＳリソース要素の前記最大サブキャリアインデックスは、｛９，１０｝からの値である、請求項１５に記載のシステム。
【請求項１８】
各パターンにおけるＣＳＩ−ＲＳリソース要素インデックス順序付けは、時間領域順序付けおよび周波数領域順序付けのうちの少なくとも１つによって提供され、（ｋｉ，ｌｉ）によって表される、ｉ番目のＣＳＩ−ＲＳ  ＲＥのＰＲＢ内での場所は、０≦ｉ＜８の場合、ｌｉ＝ｌ’＋（ｉ  ｍｏｄ  ２）によって与えられ、０≦ｊ＜４の場合、ｋ２ｊ＝ｋ２ｊ＋１＝ｋ’−３×ｊによって与えられ、ここで、（ｋ’，ｌ’）は、各ＣＳＩ−ＲＳのセル毎のパターンにおいて、最大サブキャリアインデックスおよび最小シンボルインデックスを有するＣＳＩ−ＲＳリソース要素の場所である、請求項１５に記載のシステム。
【請求項１９】
８ポートＣＳＩ−ＲＳリソース要素配分において、インデックス０〜３または４〜７を有する任意の４つのＣＳＩ−ＲＳリソース要素は、４ポートＣＳＩ−ＲＳ配分のために使用され、０〜３と４〜７との間での選択は、高層信号伝達によって信号伝達され、
【化５３】
2013533674.tif 000060
によって自動的に決定されるもののうちの少なくとも１つであり、
８ポートＣＳＩ−ＲＳリソース要素配分において、インデックス（２ｊ）および（２ｊ＋ｌ）を有する任意の２つのＣＳＩ−ＲＳリソース要素は、２ポートＣＳＩ−ＲＳ配分のために使用され、４つのそのような対の間での選択は、高層信号伝達によって信号伝達され、
【化５４】
2013533674.tif 000061
によって自動的に決定されるもののうちの少なくとも１つであり、
【化５５】
2013533674.tif 000062
は、セル識別の関数であり、ここで、
【化５６】
2013533674.tif 000063
または
【化５７】
2013533674.tif 000064
であり、Ｒは、サブフレーム毎の再利用率である、請求項１２に記載のシステム。
【請求項２０】
隣接セルからの１つ以上のＣＳＩ−ＲＳリソース要素が重複する全リソース要素に対して、
ポート５ＵＲＳを搬送するために利用不可能である、前記シンボル上の重複リソース要素がミュート化され、該ミュート化は、サブフレーム毎に、シンボル｛５，８，１１｝に分類されるリソース要素上で行なわれ、
ポート５ＵＲＳを搬送するために利用可能である、シンボル上の該リソース要素が、隣接セルからのＣＳＩ−ＲＳリソース要素と重複する場合でも、ポート５ＵＲＳを搬送するために利用可能である、該シンボル上の該リソース要素は、ミュート化されない、請求項１１に記載のシステム。
【請求項２１】
前記局は、基地局である、請求項１１に記載の局。
【請求項２２】
ポート５ユーザ機器特有基準信号（ＵＲＳ）信号に配分されたリソース要素と重複せずに、チャネル状態情報基準信号（ＣＳＩ−ＲＳ）を伝送するために、直交周波数分割多重（ＯＦＤＭ）システムにおいてリソース要素を配分する方法を実行するために、命令をその上に記憶する非一時的コンピュータ可読媒体であって、
該方法は、
周波数領域において、正常ＣＰサブフレーム内で該ＣＳＩ−ＲＳに配分されたリソース要素の少なくとも一部をシフトすることと、
拡張ＣＰサブフレームの中に該ポート５ＵＲＳと重複するリソース要素を有することなく、少なくとも１つのＣＳＩ−ＲＳ再利用パターンが存在するように、該拡張ＣＰサブフレームの中でリソース要素をパターン化することと
を備える、コンピュータ可読媒体。
【請求項２３】
前記リソース要素の配分は、単一の物理リソースブロック（ＰＲＢ）内において、８ポートＣＳＩ−ＲＳ毎に、または８ＣＳＩ−ＲＳリソース要素の群毎に規定され、該単一のＰＲＢの時間領域寸法が、１サブフレームであり、該単一のＰＲＢの周波数領域寸法が、１２サブキャリアである、請求項２２に記載のコンピュータ可読媒体。
【請求項２４】
前記正常ＣＰサブフレームに対して、各パターンにおけるＣＳＩ−ＲＳリソース要素インデックス順序付けは、時間領域順序付けおよび周波数領域順序付けのうちの少なくとも１つによって提供され、（ｋｉ，ｌｉ）によって表される、ｉ番目のＣＳＩ−ＲＳリソース要素のＰＲＢ内での場所は、０≦ｉ＜８の場合、ｌｉ＝ｌ’＋（ｉ  ｍｏｄ  ２）によって与えられ、０≦ｊ＜４の場合、
【化５８】
2013533674.tif 000065
によって与えられ、ここで、（ｋ’，ｌ’）は、各ＣＳＩ−ＲＳのセル毎のパターンにおける最大サブキャリアインデックスおよび最小シンボルインデックスを有するＣＳＩ−ＲＳリソース要素の場所であり、Δｊは、周波数領域において、リソース要素シフト化を行なうために使用される、請求項２２に記載のコンピュータ可読媒体。
【請求項２５】
Δｊは、以下に示す
【化５９】
2013533674.tif 000066
のうちの１つであり得る、請求項２４に記載のコンピュータ可読媒体。
【請求項２６】
前記拡張ＣＰサブフレームに対して、セル毎の前記ＣＳＩ−ＲＳリソース要素は、前記ＰＲＢ内において、複数の対のＣＳＩ−ＲＳリソース要素としてパターン化され、該複数の対のＣＳＩ−ＲＳリソース要素は、１つのＰＲＢ内の２つのＯＦＤＭシンボル上で最大サブキャリアインデックスを有する一対のＣＳＩ−ＲＳリソース要素から逆に数えて、３対のサブキャリア毎に、同一の２つのＯＤＦＭシンボル内に位置する、請求項２２に記載のコンピュータ可読媒体。
【請求項２７】
複数の対のＣＳＩ−ＲＳリソース要素が配分される、前記同一の２つのＯＦＤＭシンボルは、１サブフレームのいずれかのスロットの中のシンボル４およびシンボル５である、請求項２６に記載のコンピュータ可読媒体。
【請求項２８】
１つのＰＲＢ内の前記一対のＣＳＩ−ＲＳリソース要素の最大サブキャリアインデックスは、｛９，１０｝からの値である、請求項２６に記載のコンピュータ可読媒体。
【請求項２９】
各パターンにおけるＣＳＩ−ＲＳリソース要素インデックス順序付けは、時間領域順序付けおよび周波数領域順序付けのうちの少なくとも１つによって提供され、（ｋｉ，ｌｉ）によって表される、ｉ番目のＣＳＩ−ＲＳ  ＲＥのＰＲＢ内での場所は、０≦ｉ＜８の場合、ｌｉ＝ｌ’＋（ｉ  ｍｏｄ  ２）によって与えられ、０≦ｊ＜４の場合、ｋ２ｊ＝ｋ２ｊ＋１＝ｋ’−３×ｊによって与えられ、ここで、（ｋ’，ｌ’）は、各ＣＳＩ−ＲＳのセル毎のパターンにおける最大サブキャリアインデックスおよび最小シンボルインデックスを有するＣＳＩ−ＲＳリソース要素の場所である、請求項２６に記載のコンピュータ可読媒体。
【請求項３０】
８ポートＣＳＩ−ＲＳリソース要素配分において、インデックス０〜３または４〜７をを有する任意の４つのＣＳＩ−ＲＳリソース要素は、４ポートＣＳＩ−ＲＳ配分のために使用され、０〜３と４〜７との間での選択は、高層信号伝達によって信号伝達され、
【化６０】
2013533674.tif 000067
によって自動的に決定されるもののうちの少なくとも１つであり、
８ポートＣＳＩ−ＲＳリソース要素配分において、インデックス（２ｊ）および（２ｊ＋１）を有する任意の２つのＣＳＩ−ＲＳリソース要素は、２ポートＣＳＩ−ＲＳ配分のために使用され、４つのそのような対の間での選択は、高層信号伝達によって信号伝達され、
【化６１】
2013533674.tif 000068
によって自動的に決定されるもののうちの少なくとも１つであり、
【化６２】
2013533674.tif 000069
は、セル識別の関数であり、ここで、
【化６３】
2013533674.tif 000070
または
【化６４】
2013533674.tif 000071
であり、Ｒは、サブフレーム毎の再利用率である、請求項２３に記載のコンピュータ可読媒体。
【請求項３１】
隣接セルからの１つ以上のＣＳＩ−ＲＳリソース要素が重複する全リソース要素に対して、
ポート５ＵＲＳを搬送するために利用不可能である、前記シンボル上の重複リソース要素がミュート化され、該ミュート化は、サブフレーム毎に、シンボル｛５，８，１１｝に分類されるリソース要素上で行なわれ、
ポート５ＵＲＳを搬送するために利用可能である、シンボル上の該リソース要素が、隣接セルからのＣＳＩ−ＲＳリソース要素と重複する場合でも、ポート５ＵＲＳを搬送するために利用可能である、該シンボル上の該リソース要素は、ミュート化されない、請求項２２に記載のコンピュータ可読媒体。
【発明の詳細な説明】
【技術分野】
【０００１】
（関連出願の相互参照）
本願は、米国仮特許出願第６１／３５０，４３２号（名称「ＭＥＴＨＯＤＳ  ＡＮＤ  ＳＹＳＴＥＭＳ  ＦＯＲ  ＴＲＡＮＳＭＩＳＳＩＯＮ  ＯＦ  ＣＳＩ−ＲＳ  ＩＮ  ＬＴＥ−ＡＤＶＡＮＣＥ  ＳＹＳＴＥＭ」、２０１０年６月１日出願）の優先権を主張し、この出願の内容は、その全体が本明細書に参照によって援用される。
【０００２】
本願は、米国特許出願第６１／３０５，５１２号（名称「ＭＥＴＨＯＤＳ  ＡＮＤ  ＳＹＳＴＥＭＳ  ＦＯＲ  ＣＳＩ−ＲＳ  ＴＲＡＮＳＭＩＳＳＩＯＮ  ＩＮ  ＬＴＥ−ＡＤＶＡＮＣＥ  ＳＹＳＴＥＭＳ」、２０１０年２月１７日出願）、米国仮特許出願第６１／３０７，８０７号（名称「ＣＳＩ−ＲＳ  ＲＥＳＯＵＲＣＥ  ＡＬＬＯＣＡＴＩＯＮ  ＩＮ  ＬＴＥ−ＡＤＶＡＮＣＥ  ＳＹＳＴＥＭＳ」、２０１０年２月２４日出願）、および米国仮特許出願第６１／３４９，１５３号（名称「ＭＥＴＨＯＤＳ  ＡＮＤ  ＳＹＳＴＥＭＳ  ＦＯＲ  ＴＲＡＮＳＭＩＳＳＩＯＮ  ＯＦ  ＣＳＩ−ＲＳ  ＩＮ  ＬＴＥ−ＡＤＶＡＮＣＥ  ＳＹＳＴＥＭＳ」、２０１０年５月２７日出願）と関連し、これらの出願のすべての内容は、その全体が本明細書に参照によって援用される。
【０００３】
（発明の分野）
本発明は、概して、無線通信に関し、より具体的には、無線通信システムにおいて、チャネル状態情報基準信号（ＣＳＩ−ＲＳ）リソースを配分し、ＣＳＩ−ＲＳを伝送するための方法およびシステムに関する。
【背景技術】
【０００４】
（背景）
無線通信システムにおいて、ダウンリンク基準信号は、通常、コヒーレント復調において使用されるチャネル推定のための基準、ならびにマルチユーザスケジューリングにおいて使用されるチャネル品質測定のための基準を提供するために生成される。ＬＴＥ  Ｒｅｌ−８仕様では、セル特有基準信号（ＣＲＳ）と呼ばれる１つの単一タイプのダウンリンク基準形式が、チャネル推定およびチャネル品質測定の両方のために規定される。Ｒｅｌ−８  ＣＲＳの特性として、ユーザ機器（ＵＥ）が、実際に必要とする多入力多出力（ＭＩＭＯ）チャネルランクに関わらず、基地局は、常に、ＭＩＭＯ層／ポートの最大数に基づいて、ＣＲＳを全ＵＥにブロードキャストし得ることが挙げられる。
【０００５】
３ＧＰＰ  ＬＴＥ  Ｒｅｌ−８システムでは、伝送時間は、１０ｍｓ長であるフレーム単位に区切られ、さらに、サブフレーム＃０からサブフレーム＃９として標識される１０のサブフレームに等しく分割される。ＬＴＥ周波数分割二重（ＦＤＤ）システムは、各フレーム内に、１０の連続的ダウンリンクサブフレームおよび１０の連続的アップリンクサブフレームを有するが、ＬＴＥ時間分割二重（ＴＤＤ）システムは、複数のダウンリンク−アップリンク配分を有し、そのダウンリンクおよびアップリンクサブフレーム割当は、表１に与えられており、文字Ｄ、Ｕ、およびＳは、対応するサブフレームを表し、それぞれ、ダウンリンクサブフレーム、アップリンクサブフレーム、およびサブフレームの最初の部分に、ダウンリンク伝送と、サブフレームの最後の部分に、アップリンク伝送を含有する特殊サブフレームを指す。
【０００６】
【表１】
2013533674.tif 000003
【０００７】
ＬＴＥにおける一システム構成事例（正常サイクリックプレフィックスまたは正常ＣＰと呼ばれる）では、各サブフレームは、０から１３のインデックスを有する
【化１】
2013533674.tif 000004
【０００８】
の等持続時間時間シンボルを含む。ＬＴＥにおける別のシステム構成事例（拡張サイクリックプレフィックスまたは拡張ＣＰと呼ばれる）では、各サブフレームは、０から１１のインデックスを有する
【０００９】
【化２】
2013533674.tif 000005
【００１０】
の等持続時間時間シンボルを含有する。両ＣＰタイプの場合、１サブフレームはまた、２つの等持続時間スロットに分割されることができ、それぞれ、
【００１１】
【化３】
2013533674.tif 000006
【００１２】
時間シンボルを含有する。１つの時間シンボル内に最大全帯域幅の周波数領域リソースは、サブキャリアに区切られる。１物理リソースブロック（ＰＲＢ）は、周波数領域にわたる１２の連続的サブキャリアと、時間領域にわたる１サブフレームをカバーし、例えば、図２（ａ）−２（ｂ）に示されるように、１２＊１４＝１６８のリソース要素（ＲＥ）、または図３（ａ）−３（ｂ）に示されるように、拡張ＣＰサブフレームの場合、１２＊１２＝１４４のＲＥを保持する、矩形２−Ｄ周波数−時間リソース面積にわたって規定される。各通常サブフレームは、ＰＤＣＣＨ（物理ダウンリンク制御チャネル）領域およびＰＤＳＣＨ（物理ダウンリンク共有チャネル）領域の２つの部分に区切られる。ＰＤＣＣＨ領域は、通常、サブフレーム毎に最初のいくつかのシンボルを占有し、ハンドセット特有制御チャネルを搬送し、ＰＤＳＣＨ領域は、サブフレームの残りの部分を占有し、汎用目的トラフィックを搬送する。
【００１３】
ＬＴＥシステムは、必須ダウンリンク信号である、セル特有基準信号（ＣＲＳ）を要求する。ＣＲＳは、ダウンリンク信号強度測定と、同一リソースブロック内におけるＰＤＳＣＨのコヒーレント復調に役立つ。最大４つのアンテナポートのためのＣＲＳ伝送は、各通常サブフレーム内に同一パターンを有し、正常ＣＰサブフレームでは、シンボル｛０，１，４，７，８，１１｝上、拡張ＣＰサブフレームでは、シンボル｛０，１，３，６，７，９｝上で生じる。各ＣＲＳシンボルは、図２（ａ）−２（ｂ）および図３（ａ）−３（ｂ）の両方に示されるように、周波数領域上において、リソースブロック毎にポートあたり２つのＣＲＳ  ＲＥを搬送する。ＣＲＳの実際のサブキャリアインデックスは、
【００１４】
【化４】
2013533674.tif 000007
【００１５】
だけシフトされ、ここで、
【００１６】
【化５】
2013533674.tif 000008
【００１７】
は、セル識別である。ＣＲＳに加え、ＬＴＥ  Ｒｅｌ−８はまた、アンテナポート５上のＵＥ特有基準信号（ＵＲＳ）のタイプを規定する。図２（ａ）に示されるように、正常ＣＰサブフレームでは、４つのシンボル、図３（ａ）−３（ｂ）に示されるように、拡張ＣＰサブフレームでは、３つのシンボルを占有する、ＰＲＢ毎に１２のＵＲＳ  ＲＥが存在する。ＵＲＳの実際のサブキャリアインデックスは、
【００１８】
【化６】
2013533674.tif 000009
【００１９】
シフトされる。ＣＲＳは、全帯域幅にわたって配分されるが、ＵＲＳは、ＰＲＢベース毎に割り当てられる。図２（ａ）および図３（ａ）−３（ｂ）は、ｖｓｈｉｆｔ＝０を有するＣＲＳおよびＵＲＳの実施例を示す。
【００２０】
３ＧＰＰ  ＬＴＥが、Ｒｅｌ−８から  Ｒｅｌ−１０（ＬＴＥアドバンスドまたはＬＴＥ−Ａとも呼ばれる）への進化するのに伴って、多数のサポートされたアンテナポート（最大８）によって、全ポート上にＣＲＳ様基準信号を維持するために、オーバーヘッドがかかり過ぎる。ダウンリンク基準信号の役割を以下の異なるＲＳ信号伝達に分離することが合意されている。
−復調基準信号（ＤＭＲＳ）：本タイプのＲＳは、コヒーレントチャネル推定のために使用され、十分な密度を有し、ＵＥベース毎に送信されるはずである。
−チャネル状態情報基準信号（ＣＳＩ−ＲＳ）：本タイプのＲＳは、全ＵＥによるチャネル品質測定のために使用され、周波数−時間領域にわたる予備となり得る。
【００２１】
本願出願時、３ＧＰＰ規格本文において、以下のように合意されている。
−  ＤＭＲＳは、ＰＲＢベース毎に割り当てることができ、各ＰＲＢ内のＤＭＲＳパターンは、図２（ｂ）に示されるように、正常ＣＰサブフレームでは、２４の固定ＲＥ、または図３（ａ）−３（ｂ）に示されるように、拡張ＣＰサブフレームでは、３２の固定ＲＥに位置するように決定される。図３（ａ）−３（ｂ）に示されるように、拡張ＣＰサブフレームでは、ＤＭＲＳ配分に対して、２つの選択肢が存在し得る。
−  ＣＳＩ−ＲＳ  ＲＥは、ＰＤＣＣＨを搬送するシンボルに配分することができず、Ｒｅｌ８  ＣＲＳ、すなわち、ＣＳＩ−ＲＳは、図１における青色ＲＥに配分することができない。
−  ＮＡＮＴは、セル毎のＣＳＩ−ＲＳアンテナポートの数として示される。ＣＳＩ−ＲＳの平均密度は、ＮＡＮＴ∈｛２，４，８｝の場合、ＰＲＢ毎のアンテナポートあたり１ＲＥである。
−  各ＰＲＢ毎のＣＳＩ−ＲＳ  ＲＥは、同一セルからのＲｅｌ−１０  ＤＭＲＳ  ＲＥならびにＲｅｌ−８  ＵＲＳ  ＲＥと重複しない。
−  ＣＤＭベースのＣＳＩ−ＲＳ信号が採用され、これは、２ＣＳＩ−ＲＳ  ＲＥ毎に、相互に隣接し、時間領域（ＣＤＭ−Ｔと称される）または周波数領域（ＣＤＭ−Ｆと称される）のいずれかにおいて、ＣＤＭ対を構築することを意味する。
【００２２】
しかしながら、拡張ＣＰサブフレーム内において、どのようにＣＳＩ−ＲＳおよびポート５ＵＲＳをもたらすかについて、解決されていない。さらに、本願において提供される、ＣＳＩ−ＲＳ  ＲＥ番号順序付けに関する付加的ルールが存在し得る。
【００２３】
本開示は、以下の説明に照らして明白となるであろう、他の特徴のうちのとりわけ、ＣＳＩ−ＲＳ信号を配分するためのさらなる原理および方法を提供する。これらおよび他の実装ならびにソフトウェアおよびハードウェアにおけるセル識別方法の実施例は、添付の図面および発明を実施するための形態により詳細に説明される。
【発明の概要】
【課題を解決するための手段】
【００２４】
ここで開示される実施形態は、先行技術で提示される問題のうちの１つ以上に関する問題を解決すること、ならびに添付の図面とともに考慮される時、以下の詳細説明を参照することによって容易に明らかとなる、追加の特徴を提供することを目的とする。
【００２５】
本発明の一実施形態は、ポート５ユーザ機器特有基準信号（ＵＲＳ）信号に配分されたリソース要素と重複せずに、チャネル状態情報基準信号（ＣＳＩ−ＲＳ）の伝送のために、直交周波数分割多重（ＯＦＤＭ）システムにおいて、リソース要素を配分する方法を対象とする。方法は、周波数領域において、正常ＣＰサブフレーム内でＣＳＩ−ＲＳに配分されたリソース要素の少なくとも一部をシフトするステップを含むことができる。ある実施形態によると、リソース要素の配分は、単一の物理リソースブロック（ＰＲＢ）内において、８ポートＣＳＩ−ＲＳ毎に、または８ＣＳＩ−ＲＳリソース要素の群毎に規定することができ、単一の物理リソースブロック（ＰＲＢ）の時間領域寸法は、１サブフレームであり、その周波数領域寸法は１２サブキャリアである。
【００２６】
別の実施形態は、ポート５ＵＲＳ信号に配分されたリソース要素と重複することなく、ＣＳＩ−ＲＳの伝送のために、ＯＦＤＭシステムにおいて、リソース要素を配分するためのシステムを対象とする。システムは、周波数領域において、正常ＣＰサブフレーム内でＣＳＩ−ＲＳに配分されたリソース要素の少なくとも一部をシフトするように構成されるシフト化ユニットと、拡張ＣＰサブフレーム内でポート５ＵＲＳと重複するリソース要素を有することなく、少なくとも１つのＣＳＩ−ＲＳ再利用パターンが存在するように、拡張ＣＰサブフレームにおいて、リソース要素をパターン化するように構成される、パターン化ユニットとを含むことができる。
【００２７】
さらに別の実施形態は、ポート５ＵＲＳ信号に配分されたリソース要素と重複することなく、ＣＳＩ−ＲＳの伝送のために、ＯＦＤＭシステムにおいて、リソース要素を配分する方法を実装するためのその命令を記憶する、非一時的コンピュータ可読媒体を対象とする。方法は、周波数領域において、正常ＣＰサブフレーム内でＣＳＩ−ＲＳに配分されたリソース要素の少なくとも一部をシフトするステップを含むことができる。ある実施形態によると、リソース要素の配分は、その時間領域寸法が、１サブフレームであって、その周波数領域寸法が、１２サブキャリアである、単一ＰＲＢ内において、８ポートＣＳＩ−ＲＳ毎、または８ＣＳＩ−ＲＳリソース要素群毎に、規定することができる。
【００２８】
ある実施形態によると、リソース要素の配分は、その時間領域寸法が１サブフレームであって、その周波数領域寸法が１２サブキャリアである単一ＰＲＢ内において、８ポートＣＳＩ−ＲＳ毎に、または８ＣＳＩ−ＲＳリソース要素群毎に規定することができる。
【００２９】
本発明のさらなる特徴および利点、ならびに本発明の種々の実施形態の構造および動作について、添付の図面を参照して以下に詳細に説明される。
【００３０】
本発明の種々の例示的実施形態は、以下の図を参照して以下に詳細に説明される。図面は、例示のみを目的として提供され、本発明の例示的実施形態を表すに過ぎない。これらの図面は、読者の本発明に対する理解を促進するために提供され、本開示の広さ、範囲、または可用性を制限すると考えられてはならない。例示の明確化および容易性のため、これらの図面は必ずしも一定の縮尺ではないことに留意されたい。
【図面の簡単な説明】
【００３１】
【図１】図１は、本発明の一実施形態による、伝送を送信および受信するための例示的無線通信システムを示す。
【図２】図２（ａ）は、本発明の一実施形態による、ＣＲＳおよびＲｅｌ−８  ＵＲＳを含み得る、正常ＣＰサブフレームにおける物理リソースブロック（ＰＲＢ）を示す。図２（ｂ）は、本発明の一実施形態による、ＣＲＳおよびＲｅｌ−１０  ＤＭＲＳを含み得る、正常ＣＰサブフレームにおけるＰＲＢを示す。
【図３】図３（ａ）は、本発明の一実施形態による、オプション１の場合のＣＲＳおよびＲｅｌ−８  ＵＲＳおよびＲｅｌ−１０  ＤＭＲＳを含み得る、拡張ＣＰサブフレームにおけるＰＲＢを示す。図３（ｂ）は、本発明の一実施形態による、オプション２の場合のＣＲＳおよびＲｅｌ−８  ＵＲＳおよびＲｅｌ−１０  ＤＭＲＳを含み得る、拡張ＣＰサブフレームにおけるＰＲＢを示す。
【図４Ａ】図４（ａ）は、本発明の一実施形態による、ＦＣＳＩＲＳ＝１であるとき、ｖｓｈｉｆｔ＝０および再利用率４を伴う、８ポートＣＳＩ−ＲＳ多重化パターンを示す。
【図４Ｂ】図４（ｂ）は、本発明の一実施形態による、ＦＣＳＩＲＳ＝１であるとき、ｖｓｈｉｆｔ＝１および再利用率４を伴う、８ポートＣＳＩ−ＲＳ多重化パターンを示す。
【図４Ｃ】図４（ｃ）は、本発明の一実施形態による、ＦＣＳＩＲＳ＝１であるとき、ｖｓｈｉｆｔ＝２および再利用率４を伴う、８ポートＣＳＩ−ＲＳ多重化パターンを示す。
【図５Ａ】図５（ａ）は、本発明の一実施形態による、ＦＣＳＩＲＳ＝１であるとき、ｖｓｈｉｆｔ＝０および再利用率３を伴う、８ポートＣＳＩ−ＲＳ多重化パターンを示す。
【図５Ｂ】図５（ｂ）は、本発明の一実施形態による、ＦＣＳＩＲＳ＝１であるとき、ｖｓｈｉｆｔ＝１および再利用率３を伴う、８ポートＣＳＩ−ＲＳ多重化パターンを示す。
【図５Ｃ】図５（ｃ）は、本発明の一実施形態による、ＦＣＳＩＲＳ＝１であるとき、ｖｓｈｉｆｔ＝２および再利用率３を伴う、８ポートＣＳＩ−ＲＳ多重化パターンを示す。
【図６】図６は、本発明の一実施形態による、ＦＣＳＩＲＳ＝０および再利用率５であるときの８ポートＣＳＩ−ＲＳ多重化パターンを示す。
【図７】図７は、本発明の一実施形態による、ＦＣＳＩＲＳ＝０および再利用率６であるときの８ポートＣＳＩ−ＲＳ多重化パターンを示す。
【図８】図８（ａ）は、本発明の一実施形態による、
【００３２】
【化７】
2013533674.tif 000010
【００３３】
、
【００３４】
【化８】
2013533674.tif 000011
【００３５】
、および
【００３６】
【化９】
2013533674.tif 000012
【００３７】
の場合のあるタイプの８ポートＣＳＩ−ＲＳポート番号時間領域順序付けを示す。図８（ｂ）は、本発明の一実施形態による、
【００３８】
【化１０】
2013533674.tif 000013
【００３９】
、
【００４０】
【化１１】
2013533674.tif 000014
【００４１】
、および
【００４２】
【化１２】
2013533674.tif 000015
【００４３】
の場合のあるタイプの８ポートＣＳＩ−ＲＳポート番号周波数領域順序付けを示す。
【図９】図９（ａ）は、本発明の一実施形態による、
【００４４】
【化１３】
2013533674.tif 000016
【００４５】
の場合のあるタイプの８ポートＣＳＩ−ＲＳポート番号時間領域順序付けを示す。図９（ｂ）は、本発明の一実施形態による、
【００４６】
【化１４】
2013533674.tif 000017
【００４７】
の場合のあるタイプの８ポートＣＳＩ−ＲＳポート番号周波数領域順序付けを示す。
【図１０】図１０（ａ）は、本発明の一実施形態による、
【００４８】
【化１５】
2013533674.tif 000018
【００４９】
、
【００５０】
【化１６】
2013533674.tif 000019
【００５１】
、および
【００５２】
【化１７】
2013533674.tif 000020
【００５３】
の場合のあるタイプの８ポートＣＳＩ−ＲＳポート番号時間領域順序付けを示す。図１０（ｂ）は、本発明の一実施形態による、
【００５４】
【化１８】
2013533674.tif 000021
【００５５】
、
【００５６】
【化１９】
2013533674.tif 000022
【００５７】
、および
【００５８】
【化２０】
2013533674.tif 000023
【００５９】
の場合のあるタイプの８ポートＣＳＩ−ＲＳポート番号周波数領域順序付けを示す。
【図１１】図１１（ａ）は、本発明の一実施形態による、
【００６０】
【化２１】
2013533674.tif 000024
【００６１】
の場合のあるタイプの８ポートＣＳＩ−ＲＳポート番号時間領域順序付けを示す。図１１（ｂ）は本発明の一実施形態による、
【００６２】
【化２２】
2013533674.tif 000025
【００６３】
の場合のあるタイプの８ポートＣＳＩ−ＲＳポート番号周波数領域順序付けを示す。
【図１２】図１２（ａ）は、本発明の一実施形態による、拡張ＣＰサブフレームにおけるＣＳＩ−ＲＳパターン（再利用率＝３およびｖｓｈｉｆｔ＝０）を示し、ＣＳＩ−ＲＳおよびポート５ＵＲＳは、オプション１に従って、１つのサブフレームを共有しない。図１２（ｂ）は、本発明の一実施形態による、拡張ＣＰサブフレームにおけるＣＳＩ−ＲＳパターン（再利用率＝３およびｖｓｈｉｆｔ＝１）を示し、ＣＳＩ−ＲＳおよびポート５ＵＲＳは、オプション１に従って、１つのサブフレームを共有しない。
【図１３Ａ】図１３（ａ）は、本発明の一実施形態による、拡張ＣＰサブフレームにおけるＣＳＩ−ＲＳパターン（再利用率＝３およびｖｓｈｉｆｔ＝０）を示し、ＣＳＩ−ＲＳおよびポート５ＵＲＳは、オプション２に従って、１つのサブフレームを共有しない。
【図１３Ｂ】図１３（ｂ）は、本発明の一実施形態による、拡張ＣＰサブフレームにおけるＣＳＩ−ＲＳパターン（再利用率＝３およびｖｓｈｉｆｔ＝１）を示し、ＣＳＩ−ＲＳおよびポート５ＵＲＳは、オプション２に従って、１つのサブフレームを共有しない。
【図１３Ｃ】図１３（ｃ）は、本発明の一実施形態による、拡張ＣＰサブフレームにおけるＣＳＩ−ＲＳパターン（再利用率＝３およびｖｓｈｉｆｔ＝２）を示し、ＣＳＩ−ＲＳおよびポート５ＵＲＳは、オプション２に従って、１つのサブフレームを共有しない。
【図１４Ａ】図１４は、本発明の一実施形態による、拡張ＣＰサブフレームにおけるＣＳＩ−ＲＳパターン（再利用率＝３）を示し、ＣＳＩ−ＲＳおよびポート５ＵＲＳは、１つのサブフレームを共有し、Ｒｅｌ−１０  ＤＭＲＳは、オプション２配分内にある。
【図１４Ｂ】図１４は、本発明の一実施形態による、拡張ＣＰサブフレームにおけるＣＳＩ−ＲＳパターン（再利用率＝３）を示し、ＣＳＩ−ＲＳおよびポート５ＵＲＳは、１つのサブフレームを共有し、Ｒｅｌ−１０  ＤＭＲＳは、オプション２配分内にある。
【図１４Ｃ】図１４は、本発明の一実施形態による、拡張ＣＰサブフレームにおけるＣＳＩ−ＲＳパターン（再利用率＝３）を示し、ＣＳＩ−ＲＳおよびポート５ＵＲＳは、１つのサブフレームを共有し、Ｒｅｌ−１０  ＤＭＲＳは、オプション２配分内にある。
【図１５】図１５（ａ）は、本発明の一実施形態による、拡張ＣＰサブフレームにおける、ＣＳＩ−ＲＳ  ＲＥ番号時間領域（タイプ１）順序付けを示す。図１５（ｂ）は、本発明の一実施形態による、拡張ＣＰサブフレームにおける、ＣＳＩ−ＲＳ  ＲＥ番号時間領域（タイプ２）順序付けを示す。図１５（ｃ）は、本発明の一実施形態による、拡張ＣＰサブフレームにおける、ＣＳＩ−ＲＳ  ＲＥ番号周波数領域（タイプ１）順序付けを示す。図１５（ｄ）は、本発明の一実施形態による、拡張ＣＰサブフレームにおける、ＣＳＩ−ＲＳ  ＲＥ番号周波数領域（タイプ２）順序付けを示す。
【発明を実施するための形態】
【００６４】
以下の説明は、当業者が本発明を作製および使用することを可能にするように提示される。特定の機器、技法、および用途の説明は実施例としてのみ提供される。本明細書に説明する実施例に対する種々の修正は、当業者には容易に明らかになると考えられ、本明細書に説明する一般的な原則は、本発明の精神および範囲を逸脱することなく、他の実施例および用途に適用されてもよい。このように、本発明は、本明細書に説明および図示する実施例に限定されることを意図せず、請求項に従う範囲に合致するものである。
【００６５】
本明細書では、「例示的」という用語は、「実施例または例示として機能すること」を意味するように使用される。本明細書において「例示的」として説明される任意の側面または設計は、必ずしも他の側面または設計より好ましいまたは有利であるものとして解釈されるべきではない。
【００６６】
ここで、対象となる技術の側面を詳細に参照することになるが、これらの実施例は添付の図面に示される（同一参照番号は、図面全体で同一要素を参照する）。
【００６７】
本明細書に開示するプロセスにおけるステップの特定の順序または階層は、例示的手法の実施例であることを理解されたい。設計選好に基づいて、プロセスにおけるステップの特定の順序または階層が、本発明の範囲内にとどまる上で並べ替えられてもよいことが理解される。添付の方法の請求項は、実例の順序において、種々のステップの要素を提示し、提示される特定の順序または階層に限定されることを意図しない。
【００６８】
図１は、本発明の一実施形態による、伝送を送信および受信するための例示的な無線通信システム１００を示す。システム１００は、本明細書において詳細に説明する必要のない周知または従来の動作特徴に対応するように構成される構成要素および要素を含んでもよい。システム１００は、概して、基地局送受信機モジュール１０３、基地局アンテナ１０６、基地局プロセッサモジュール１１６、および基地局メモリモジュール１１８を含む基地局１０２を備える。システム１００は、概して、移動局送受信機モジュール１０８、移動局アンテナ１１２、移動局メモリモジュール１２０、移動局プロセッサモジュール１２２、およびネットワーク通信モジュール１２６を含む移動局１０４を備える。当然ながら、基地局１０２および移動局１０４の両方は、本発明の範囲から逸脱することなく、追加または代替のモジュールを含んでもよい。さらに、例示的システム１００に示されるのは１つの基地局１０２および１つの移動局１０４だけであるが、任意の数の基地局１０２および移動局１０４が含まれてもよい。
【００６９】
システム１００のこれらの要素および他の要素は、データ通信バス（例えば、１２８、１３０）、または任意の適切な相互接続配置を使用して、ともに相互接続されてもよい。このような相互接続によって、無線システム１００の種々の要素間の通信が促進される。本明細書に開示する実施形態に関連して説明する種々の例示的ブロック、モジュール、回路、および処理論理が、ハードウェア、コンピュータ可読ソフトウェア、ファームウェア、またはそれらの任意の実用的な組み合わせで実装されてもよいことを当業者は理解する。ハードウェア、ファームウェア、およびソフトウェアのこの相互交換性および互換性を明確に示すため、種々の例示的構成要素、ブロック、モジュール、回路、およびステップは、概して、これらの機能性に関して説明される。このような機能性がハードウェア、ファームウェア、またはソフトウェアとして実装されるか否かは、システム全体に課される、特定の用途および設計制約に依存する。本明細書に説明する概念に精通する者は、各特定の用途に適切な様式においてこのような機能性を実装することができるが、このような実装の決定は、本発明の範囲からの逸脱を生じるものとして解釈されてはならない。
【００７０】
例示的システム１００では、基地局送受信機１０３および移動局送受信機１０８の各々は、送信機モジュールおよび受信機モジュール（図示せず）を備える。加えて、この図には示されないが、当業者は、送信機が、２台以上の受信機へ送信してもよく、複数の送信機が、同じ受信機へ送信してもよいことを認識するであろう。ＴＤＤシステムでは、送信および受信タイミングのギャップは、受信するために送信からの移行から保護するための、およびその逆のための保護帯域として存在する。
【００７１】
図１に描写される特定の例示的システムでは、「アップリンク」送受信機１０８は、アップリンク受信機とアンテナを共有する送信機を含む。二重スイッチは、代替として、時複信の様式で、アップリンク送信機または受信機をアップリンクのアンテナに連結してもよい。同様に、「ダウンリンク」送受信機１０３は、ダウンリンクアンテナをダウンリンク送信機と共有する受信機を含む。ダウンリンク二重スイッチは、代替として、時複信の様式で、ダウンリンク送信機または受信機をダウンリンクのアンテナに連結してもよい。
【００７２】
移動局送受信機１０８および基地局送受信機１０３は、無線データ通信リンク１１４を介して通信するように構成される。移動局送受信機１０８および基地局送受信機１０２は、特定の無線通信プロトコルおよび変調スキームに対応可能である適切に構成されたＲＦアンテナ配置１０６／１１２と連携する。例示的実施形態では、移動局送受信機１０８および基地局送受信機１０２は、第３世代パートナーシッププロジェクトロング・ターム・エボリューション（３ＧＰＰ  ＬＴＥ）、第３世代パートナーシッププロジェクト２ウルトラモバイルブロードバンド（３Ｇｐｐ２  ＵＭＢ）、時分割同期コード分割複数アクセス（ＴＤ−ＳＣＤＭＡ）、およびマイクロ波アクセスのためのワイヤレス相互運用（ＷｉＭＡＸ）等の業界標準に対応するように構成される。移動局送受信機１０８および基地局送受信機１０２は、８０２．１６ｅ、８０２．１６ｍ等、ＩＥＥＥ８０２．１６の将来のバージョンを含む、代替、または追加の無線データ通信プロトコルに対応するように構成されてもよい。
【００７３】
ある実施形態によると、基地局１０２は、無線リソースの配分および割当を制御し、移動局１０４は、配分プロトコルを復号し、解釈するように構成される。例えば、このような実施形態は、１つの基地局１０２が制御する同一無線チャネルを複数の移動局１０４が共有するシステムにおいて用いられ得る。しかしながら、代替実施形態では、移動局１０４は、特定のリンクの無線リソースの割当を制御し、本明細書に説明するように、無線リソースの制御器または配分器の役割を実装してもよい。
【００７４】
プロセッサモジュール１１６／１２２は、本明細書に説明する機能を実施するように設計される汎用プロセッサ、コンテンツアドレス可能メモリ、デジタル信号プロセッサ、用途特定集積回路、フィールドプログラム可能ゲートアレイ、任意の適切なプログラム可能論理デバイス、個別ゲートもしくはトランジスタ論理、個別ハードウェア構成要素、またはそれらの任意の組み合わせを用いて、実装または実現されてもよい。この様式において、プロセッサは、マイクロプロセッサ、コントローラ、マイクロコントローラ、状態機械、またはその同等物として実現されてもよい。プロセッサはまた、例えば、デジタル信号プロセッサおよびマイクロプロセッサ、複数のプロセッサ、デジタル信号プロセッサコアを併せ持つ１つ以上のマイクロプロセッサ、または任意の他のこのような構成等の、コンピューティング機器の組み合わせとして実装されてもよい。プロセッサモジュール１１６／１２２は、システム１００の動作に関連付けられる機能、技法、および処理タスクを実行するように構成される処理論理を備える。具体的には、処理論理は、本明細書に説明するフレーム構造パラメータに対応するように構成される。実用的な実施形態では、処理論理は、基地局の中に存在してもよく、および／または基地局送受信機１０３と通信するネットワークアーキテクチャの一部であってもよい。
【００７５】
本明細書に開示する実施形態に関して説明する方法またはアルゴリズムのステップは、ハードウェア、ファームウェア、プロセッサモジュール１１６／１２２によって実行されるソフトウェアモジュール、またはこれらの任意の実用的な組み合わせにおいて直接具現化されてもよい。ソフトウェアモジュールは、メモリモジュール１１８／１２０に存在してもよく、メモリモジュール１１８／１２０は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において既知である任意の他の形式のストレージ媒体として実現され得る。これに関し、メモリモジュール１１８／１２０は、プロセッサモジュール１１６／１２０がメモリモジュール１１８／１２０から情報を読み出し、メモリモジュール１１８／１２０に情報を書き込むことができるように、それぞれ、プロセッサモジュール１１８／１２２に連結されてもよい。実施例として、プロセッサモジュール１１６およびメモリモジュール１１８、プロセッサモジュール１２２およびメモリモジュール１２０は、そのそれぞれのＡＳＩＣに存在してもよい。また、メモリモジュール１１８／１２０は、プロセッサモジュール１１６／１２０と一体型であってもよい。ある実施形態では、メモリモジュール１１８／２２０は、プロセッサモジュール１１６／２２２により実行される命令の実行中に、一時的な変数または他の中間情報を記憶するためのキャッシュメモリを含んでもよい。また、メモリモジュール１１８／１２０は、プロセッサモジュール１１６／１２０により実行される命令を記憶するための不揮発性メモリも含んでもよい。
【００７６】
本発明の例示的実施形態によると、メモリモジュール１１８／１２０は、フレーム構造データベース（図示せず）を含んでもよい。フレーム構造パラメータデータベースは、以下に説明する様式で、システム１００の関数に対応するように、必要に応じて、データを記憶、維持、および提供するように構成されてもよい。さらに、フレーム構造データベースは、プロセッサ１１６／１２２に連結されるローカルデータベースであってもよく、または、遠隔データベース、例えば、中央ネットワークデータベースおよびその同等物であってもよい。フレーム構造データベースは、以下に説明するように、これに限定されず、フレーム構造パラメータを維持するように構成されてもよい。この様式において、フレーム構造データベースは、フレーム構造パラメータを記憶する目的のルックアップテーブルを含んでもよい。
【００７７】
ネットワーク通信モジュール１２６は、概して、基地局送受信機１０３と、基地局送受信機１０３が接続されるネットワーク構成要素との間の双方向通信を可能にするシステム１００のハードウェア、ソフトウェア、ファームウェア、処理論理、および／または他の構成要素を表す。例えば、ネットワーク通信モジュール１２６は、インターネットまたはＷｉＭＡＸトラフィックに対応するように構成されてもよい。典型的配備では、これに制限されず、ネットワーク通信モジュール１２６は、８０２．３イーサネット（登録商標）インターフェースを提供するので、基地局送受信機１０３は、従来のイーサネット（登録商標）ベースのコンピュータネットワークと通信することができる。この様式において、ネットワーク通信モジュール１２６は、コンピュータネットワーク（例えば、移動交換センター（ＭＳＣ））への接続のための物理インターフェースを含んでもよい。
【００７８】
本開示において説明する機能を、基地局１０２または移動局１０４のいずれかが実行してもよいことに留意されたい。移動局１０４は、携帯電話機等の任意のユーザデバイスであってもよく、また、移動局は、ＵＥと称されてもよい。
【００７９】
本明細書に開示する実施形態は、第４世代無線システムの候補の１つであるロング・ターム・エボリューション（ＬＴＥ）システムに限定されない特定の用途を有する。本明細書に説明される実施形態は、種々のセル毎のＣＳＩ−ＲＳパターンを提供する。種々のこれらのセル毎のＣＳＩ−ＲＳパターンは、ある実施形態によると、１つの単一セルに属し得る８つのＣＳＩ−ＲＳ  ＲＥのレイアウトを示す。
【００８０】
（正常ＣＰサブフレームにおけるＣＳＩ−ＲＳ配分）
セル−ｒ（または、再利用パターンｒ）に対するｉ番目のＲＥの場所が、０≦ｉ＜ＮＣＳＩ（ＮＣＳＩ∈｛８，４，２｝）の場合、＜ｋｒ，ｉ，ｌｒ，ｉ＞によって求められ、ここで、ｋｒ，ｉおよびｌｒ、ｉは、それぞれ、サブキャリアインデックスおよびシンボルインデックスであって、両方とも、０から数え、例えば、図２（ａ）および２（ｂ）と図３（ａ）および３（ｂ）における各ＰＲＢの左下角から開始すると仮定する。例示的ＣＳＩ−ＲＳ配分（
【００８１】
【化２３】
2013533674.tif 000026
【００８２】
として示される）は、図４（ａ）−４（ｃ）に示されるように、４に等しい再利用率を伴い、ポート５ＵＲＳと共存するように描写され、ＣＳＩ−ＲＳ配分（
【００８３】
【化２４】
2013533674.tif 000027
【００８４】
として示される）は、図５（ａ）−５（ｃ）に示されるように、３に相当する再利用率を伴い、ポート５ＵＲＳと共存するように描写される。
【００８５】
加えて、例示的ＣＳＩ−ＲＳ配分（
【００８６】
【化２５】
2013533674.tif 000028
【００８７】
として示される）は、図６に示されるように、５に相当する再利用率を伴い、ポート５ＵＲＳと共存しないように描写され、ＣＳＩ−ＲＳ配分（
【００８８】
【化２６】
2013533674.tif 000029
【００８９】
として示される）は、図７に示されるように、６に相当する再利用率を伴い、ポート５ＵＲＳと共存しないように描写される。
【００９０】
ＣＳＩ−ＲＳ  ＲＥ  ＃０に対するＰＲＢ内のリソースの場所、＜ｋｒ，０，ｌｒ，０＞は、正常ＣＰサブフレームの場合、表２において規定することができる。他のＣＳＩ−ＲＳ  ＲＥに対するＰＲＢ内のＲＥの場所の番号付け、＜ｋｒ，Ｉ，ｌｒ，ｉ＞は、図８（ａ）−８（ｂ）および図９（ａ）−９（ｂ）に描写される。
【００９１】
【表２】
2013533674.tif 000030
【００９２】
図８（ａ）−８（ｂ）および図９（ａ）−９（ｂ）に示されるように、例示的ＲＥの場所の番号付けに加え、本開示はさらに、図１０（ａ）−１０（ｂ）および図１１（ａ）−１１（ｂ）に示されるように、例示的ＲＥの場所の番号付けを規定し、その数学的定式化は、以下によって規定される。
・時間領域順序付け優先の場合：
【００９３】
【化２７】
2013533674.tif 000031
【００９４】
・周波数領域順序付け優先の場合：
【００９５】
【化２８】
2013533674.tif 000032
【００９６】
Δｊの規定は、以下の
【００９７】
【化２９】
2013533674.tif 000033
【００９８】
ように与えられ、ここで、δｊは、上式（６）において規定される。正常ＣＰサブフレームにおいて、ＣＳＩ−ＲＳとポート５ＵＲＳとの間のリソース要素重複回避は、周波数領域ＲＥシフト化パラメータΔｊを導入することによって、実現することができることが分かる。
【００９９】
ＣＳＩ−ＲＳ  ＲＥ番号順序付けがどのように行なわれるかに関わらず、４ポートＣＳＩ−ＲＳ配分は、８ポートＣＳＩ−ＲＳ配分におけるＣＳＩ−ＲＳ  ＲＥ｛０，１，２，３｝または｛４，５，６，７｝を使用することができ、｛０，１，２，３｝と｛４，５，６，７｝との間の選択は、高層信号伝達によって信号伝達されるか、または自動的に、例えば、
【０１００】
【化３０】
2013533674.tif 000034
【０１０１】
によって決定することができる。２ポートＣＳＩ−ＲＳ配分は、８ポートＣＳＩ−ＲＳ配分において規定される｛２ｊ，２ｊ＋１｝によって標識されたＣＳＩ−ＲＳ  ＲＥを使用することができ、４つのそのような対の間の選択は、高層信号伝達によって信号伝達されるか、または自動的に、
【０１０２】
【化３１】
2013533674.tif 000035
【０１０３】
によって決定することができる。
【０１０４】
【化３２】
2013533674.tif 000036
【０１０５】
は、セル識別のある例示的関数であって、例えば、
【０１０６】
【化３３】
2013533674.tif 000037
【０１０７】
または
【０１０８】
【化３４】
2013533674.tif 000038
【０１０９】
であって、Ｒは、本実施形態によるサブフレーム毎の再利用率であることに留意されたい。
【０１１０】
当業者は、部分的ミュート化が、依然として、本明細書に規定される例示的ポート番号付けに適用することができることを認識するであろう。すなわち、ミュート化は、隣接セルからのＣＳＩ−ＲＳと重複する一方、例えば、シンボル｛５，１０，１３｝に分類されるＲＥに適用することができる。シンボル｛６，９，１２｝上のＲＥは、ある実施形態によると、それらのＲＥが、隣接セルからのＣＳＩ−ＲＳ  ＲＥと重複し得る場合でも、ミュート化されなくてもよい。
【０１１１】
（拡張ＣＰサブフレームにおけるＣＳＩ−ＲＳ配分）
ＣＳＩ−ＲＳおよびポート５ＵＲＳが、同一拡張ＣＰサブフレームにおいて伝送されないとき、例えば、８ポートＣＳＩ−ＲＳ  ＲＥは、図１２（ａ）および１２（ｂ）に示されるように配分され、３に相当するサブフレーム毎の再利用率に到達することができる。本実施形態によると、あるＣＤＭ−Ｔベースの再利用パターンは、シンボル対｛４，５｝における非ＤＭＲＳ  ＲＥ上に位置し得、第２のＣＤＭ−Ｔベースの再利用パターンは、シンボル対｛１０，１１｝における非ＤＭＲＳ  ＲＥ上に位置し得、ＣＤＭ−Ｆベースのパターンであり得る第３の再利用パターンは、シンボル｛８｝上に位置し得る。ＣＳＩ−ＲＳおよびポート５ＵＲＳが、同一拡張ＣＰサブフレームにおいて伝送することができるとき、８ポートＣＳＩ−ＲＳ  ＲＥは、本実施例によると、図１３（ａ）−１３（ｃ）に示されるように、オプション１  ＤＭＲＳ  配分として、図１４（ａ）−１４（ｃ）に示されるように、オプション２  ＤＭＲＳ  配分として、配分することができ、両方とも、３に相当する再利用率を伴う。
【０１１２】
いずれのＤＭＲＳ配分の例示的オプション１またはオプション２の場合も、そのｖｓｈｉｆｔ値が、ポート５ＵＲＳをシンボル対｛４，５｝と｛１０，１１｝との中の非ＤＭＲＳ  ＲＥに分類させるセルは、例えば、ＣＤＭ−Ｆ多重化によって、そのＣＳＩ−ＲＳをシンボル｛８｝に配分させることができる。そのような実施例は、図１３（ａ）−１３（ｃ）に示されるように、タイプ１  ＤＭＲＳ配分におけるｖｓｈｉｆｔ＝０を伴うセルと、図１４（ａ）−１４（ｃ）における、タイプ２  ＤＭＲＳ配分におけるｖｓｈｉｆｔ＝１を伴うセルによって例示され得る。言い換えると、拡張ＣＰサブフレームにおけるＣＳＩ−ＲＳは、ポート５ＵＲＳと重複するリソース要素を有することなく、少なくとも１つのＣＳＩ−ＲＳ再利用パターンが存在するように、設計することができる。
【０１１３】
正常ＣＰサブフレームにおけるＣＳＩ−ＲＳ再利用パターン同様に、拡張ＣＰサブフレームにおける各ＣＳＩ−ＲＳ再利用パターンは、以下の表３に規定される、ＣＳＩ−ＲＳ  ＲＥ  ＃０の周波数−時間場所、＜ｋｒ，０，ｌｒ，０＞によって識別することができる。他のＣＳＩ−ＲＳ  ＲＥの場所、＜ｋｒ，ｉ，ｌｒ，ｉ＞は、＜ｋｒ，０，ｌｒ，０＞から導出することができる。表３におけるｌｒ，０は、０から１１まで数えられ、拡張ＣＰサブフレーム毎のシンボルインデックスとしての機能をする。ある状況では、シンボルインデックスはまた、スロットベース毎に規定される。そのような場合、拡張ＣＰサブフレーム下の各ＣＳＩ−ＲＳ再利用パターンは、以下の表４に規定されるスロット毎のＣＳＩ−ＲＳ  ＲＥ  ＃０の周波数−時間場所ならびにサブフレーム毎のスロットインデックス、＜ｋｒ，０，ｌｒ，０，ｎｓ＞によって規定することができる。
【０１１４】
【表３】
2013533674.tif 000039
【０１１５】
【表４】
2013533674.tif 000040
【０１１６】
ＣＤＭ−Ｔベースの再利用パターンに対する２つの例示的タイプのＣＳＩ−ＲＳ  ＲＥ番号順序付けが存在してもよく、各タイプは、図１５（ａ）−１５（ｄ）に示されるように、時間領域順序付け優先および周波数領域順序付け優先の両方を含むことができる。
１）タイプ１（図１５（ａ）および１５（ｃ）参照）ＣＳＩ−ＲＳ  ＲＥ番号順序付け
・時間領域順序付け優先の場合：
【０１１７】
【化３５】
2013533674.tif 000041
【０１１８】
・周波数領域順序付け優先の場合：
【０１１９】
【化３６】
2013533674.tif 000042
【０１２０】
２）タイプ２（図１５（ｂ）および１５（ｄ）参照）ＣＳＩ−ＲＳ  ＲＥ番号順序付け
・時間領域順序付け優先の場合：
【０１２１】
【化３７】
2013533674.tif 000043
【０１２２】
・周波数領域順序付け優先の場合：
【０１２３】
【化３８】
2013533674.tif 000044
【０１２４】
拡張ＣＰサブフレームにおける、任意の例示的  ＣＳＩ−ＲＳ  ＲＥ番号順序付けの場合、４ポートＣＳＩ−ＲＳ配分は、８ポートＣＳＩ−ＲＳ配分におけるＣＳＩ−ＲＳ  ＲＥ｛０，１，２，３｝または｛４，５，６，７｝を使用することができ、｛０，１，２，３｝と｛４，５，６，７｝との間の選択は、高層信号伝達によって信号伝達される、または自動的に、
【０１２５】
【化３９】
2013533674.tif 000045
【０１２６】
によって決定することができる。２ポートＣＳＩ−ＲＳ配分は、８ポートＣＳＩ−ＲＳ配分において規定される、｛２ｊ，２ｊ＋１｝によって標識されるＣＳＩ−ＲＳ  ＲＥを使用することができ、４つのそのような対間の選択は、高層信号伝達によって信号伝達される、または自動的に、
【０１２７】
【化４０】
2013533674.tif 000046
【０１２８】
によって決定することができる。
【０１２９】
【化４１】
2013533674.tif 000047
【０１３０】
は、例示的実施形態による、セル識別のある関数であり得、例えば、
【０１３１】
【化４２】
2013533674.tif 000048
【０１３２】
または
【０１３３】
【化４３】
2013533674.tif 000049
【０１３４】
であって、Ｒは、サブフレーム毎の再利用率であることに留意されたい。
【０１３５】
ポート５ＵＲＳを含む、正常ＣＰサブフレームにおける部分的ミュート化ルールもまた、ポート５ＵＲＳを含有する拡張ＣＰサブフレームにおいて、有効であり得る。ＰＤＳＣＨミュート化は、隣接セルからのＣＳＩ−ＲＳと重複する一方、例えば、シンボル｛５，８，１１｝に分類されるＲＥに適用することができる。シンボル｛４，１０｝上のＲＥは、それらのＲＥが、種々の実施形態によると、隣接セルからのＣＳＩ−ＲＳ  ＲＥと重複し得る場合でも、ミュート化されなくてもよい。
【０１３６】
３ＧＰＰ  ＬＴＥおよび／またはＬＴＥ−Ａの通信システムでは、ＣＳＩ−ＲＳ伝送方法ならびに関連信号伝達フローおよびプロセスは、送信機および受信機または送受信制御器におけるプロセッサによる実行のためのソフトウェア命令またはファームウェア命令の形式で、実装されてもよい。動作の際、命令は、１つ以上のプロセッサによって実行されて、送信機および受信機またはその送受信制御器に、前述の機能および動作を行なわせる。
【０１３７】
本発明の種々の実施形態について上記に説明したが、これらはほんの例として提示されており、制限する目的で提示されていないことを理解されたい。同様に、種々の図面は、本発明のための例示的アーキテクチャまたは他の構成を描写してもよく、これは、本発明に含まれ得る特徴および機能性を理解する補助となるよう行われる。本発明は、例示される例示的アーキテクチャまたは構成に限定されず、種々の代替アーキテクチャおよび構成を使用して実装することができる。加えて、本発明は、種々の例示的実施形態および実装の観点から上記に説明されるが、個々の実施形態のうちの１つ以上で説明される種々の特徴および機能性が、その可用性において、説明される特定の実施形態に限定されないことを理解されたい。代わりに、これらは、そのような実施形態が説明されるかどうか、説明される実施形態の一部であるように提示されるかどうかに関わらず、単独またはいくつかの組み合わせにおいて、本発明の他の実施形態のうちの１つ以上に適用することができる。したがって、本発明の広さおよび範囲は、前述の例示的実施形態のいずれによっても制限されるべきではない。
【０１３８】
本書において、本明細書で使用される「モジュール」という用語は、本明細書に説明する関連機能を実施するための、ソフトウェア、ファームウェア、ハードウェア、およびこれらの要素の任意の組み合わせを指す。加えて、説明目的のために、種々のモジュールは別個のモジュールとして説明されるが、当業者には明らかであるように、本発明の実施形態による関連機能を実施する単一モジュールを形成するように、２つ以上のモジュールが組み合わされてもよい。
【０１３９】
本書では、「コンピュータプログラム製品」、「コンピュータ可読媒体」、およびその同等物等の用語は、概して、メモリストレージ機器、またはストレージユニット等の媒体を指すために使用されてもよい。これらの形式および他の形式のコンピュータ可読媒体は、プロセッサに特定の動作を実施させるように、プロセッサによって使用されるための１つ以上の命令を記憶することに関連してもよい。このような命令は、概して、実行時にコンピューティングシステムを有効にする、「コンピュータプログラムコード」（コンピュータプログラムまたは他のグループの形式にグループ化されてもよい）と称される。
【０１４０】
明確化の目的のために、上記の説明が、異なる機能ユニットおよびプロセッサを参照して本発明の実施形態について説明したことを理解されたい。しかしながら、異なる機能ユニット、プロセッサ、または領域の間での任意の適切な分散を、本発明を逸脱することなく使用してもよいことを理解されたい。例えば、個別のプロセッサまたは制御器によって実施されるように示される機能は、同じプロセッサ、または制御器によって実施されてもよい。したがって、特定の機能ユニットへの参照は、厳密な論理または物理構造または編成を示すものではなく、説明された機能を提供するための適切な手段への参照に過ぎないと考えられる。
【０１４１】
本書に使用する用語および語句およびその変形は、他に特に明記されない限り、制限とは対照的に無制限として解釈されるべきである。前述の例として、「含む」という用語は、「制限なく、含む」等と意味するとして解釈されるべきであり、「実施例」という用語は、論じられる項目の例示的事例を提供するために使用され、その排除または制限のリストではなく、「従来の」、「伝統的な」、「正常な」、「標準の」、「周知の」等の形容詞、および類似の意味の用語は、所与の期間に説明される項目、または所与の時点で使用可能な項目に制限するとして解釈されてはならない。しかし代わりに、これらの用語は、現在、または将来の任意の時点で、使用可能で、周知であってもよい、従来、伝統的、正常な、または標準の技術に及ぶものとして解釈されるべきである。同様に、「および」の接続詞で連結される項目グループは、これらの項目のうちの各々およびあらゆるものがグループに存在することを要求するとして解釈されてはならず、他に明示的に記載されない限り、「および／または」として解釈されるべきである。同様に、「または」の接続詞で連結される項目グループは、そのグループの中で相互に排他的であることを要求するとして解釈されてはならず、その他明示的に記載されない限り、「および／または」として解釈されるべきである。さらに、本発明の項目、要素、または構成要素は、単数形で説明または請求され得るが、単数形への制限が明示的に記載されない限り、複数形がその範囲内であると考えられる。いくつかの場合における「１つ以上」、「少なくとも」、「しかしこれらに制限されず」、または同様な語句等の拡大する単語および語句の存在は、そのような拡大語句が存在しない場合の事例において、より狭義の事例が意図される、または要求されることを意味すると解釈されてはならない。
【０１４２】
加えて、メモリまたは他のストレージ、ならびに通信構成要素は、本発明の実施形態に採用されてもよい。明確化の目的のために、上記の説明が、異なる機能ユニットおよびプロセッサを参照して本発明の実施形態について説明したことを理解されたい。しかしながら、異なる機能ユニット、処理論理要素、または領域の間での任意の適切な分散を、本発明を逸脱することなく使用してもよいことを理解されたい。例えば、個別の処理論理要素、または制御器によって実施されると図説される機能は、同じ処理論理要素、または制御器によって実施されてもよい。したがって、特定の機能ユニットへの参照は、厳密な論理または物理構造または編成を示すものではなく、説明された機能を提供するための適切な手段への参照に過ぎないと考えられる。
【０１４３】
さらに、個別に挙げられるが、複数の手段、要素、または方法のステップは、例えば、単一のユニットまたは処理論理要素によって実装されてもよい。加えて、個別の特徴は異なる請求項に含まれてもよいが、これらは、可能性として有利に組み合わされてもよい。異なる請求項に含まれていることは、特徴の組み合わせが実現可能および／または有利ではないことを含意しない。また、請求項の１つの区分に１つの特徴を含むことは、この区分に対する制限を含意するものではなく、特徴は、必要に応じて、他の請求区分へ等しく適用可能であってもよい。
【図１】
2013533674.tif 000072
【図２】
2013533674.tif 000073
【図３】
2013533674.tif 000074
【図４Ａ】
2013533674.tif 000075
【図４Ｂ】
2013533674.tif 000076
【図４Ｃ】
2013533674.tif 000077
【図５Ａ】
2013533674.tif 000078
【図５Ｂ】
2013533674.tif 000079
【図５Ｃ】
2013533674.tif 000080
【図６】
2013533674.tif 000081
【図７】
2013533674.tif 000082
【図８Ａ】
2013533674.tif 000083
【図８Ｂ】
2013533674.tif 000084
【図９Ａ】
2013533674.tif 000085
【図９Ｂ】
2013533674.tif 000086
【図１０Ａ】
2013533674.tif 000087
【図１０Ｂ】
2013533674.tif 000088
【図１１Ａ】
2013533674.tif 000089
【図１１Ｂ】
2013533674.tif 000090
【図１２】
2013533674.tif 000091
【図１３Ａ】
2013533674.tif 000092
【図１３Ｂ】
2013533674.tif 000093
【図１３Ｃ】
2013533674.tif 000094
【図１４Ａ】
2013533674.tif 000095
【図１４Ｂ】
2013533674.tif 000096
【図１４Ｃ】
2013533674.tif 000097
【図１５】
2013533674.tif 000098
【国際調査報告】
2013533674.tif 000099
2013533674.tif 000100